(57)【要約】【課題】係止フック型のバックルを使用したベルトで、公衆の面前や食事中でも目立たずにベルトの長さ調整を簡単に行なえるようにする。【解決手段】平行に位置した一対の側枠３の一端に、ベルト５０を取付ける連結軸７を形成し、前記側枠３の他端に断面門型のベルト挿通枠部１０を設けてバックル本体２を形成し、該バックル本体の挿通枠部１０の下面に、ベルト先端部５０ａの押圧力で回転傾倒し、該ベルトのベルト穴５１と合致すると、該ベルト穴に挿入する係止フック３２を有した回転軸３１と、前記ベルト穴５１に挿入した係止フック３２をベルト穴５１から離脱させるレバー片４２を有した作動杆４０を枢動可能に収容した収納ボックス２０を取付けて形成したものである。【選択図】  図１
0003110740.tif 000002
【実用新案登録請求の範囲】
【請求項１】
平行に位置させた一対の側枠（３）の一端にベルト（５０）を取付ける連結軸（７）を設け、前記側枠（３）の他端に断面門型のベルト挿通枠部（１０）を有したバックル本体（２）を形成し、該バックル本体の挿通枠部（１０）の下面に、ベルト先端部（５０ａ）の押圧力で回転傾倒してベルトのベルト穴（５１）に合致すると該ベルト穴に挿入する係止フック（３２）を有した回転軸（３１）と、前記ベルト穴（５１）に挿入した係止フック（３２）をベルト穴（５１）から離脱させるレバー片（４２）を一側に設けた作動杆（４０）とを枢動可能に収容した収納ボックス（２０）を取付けてなることを特徴するベルト用バックル。
【請求項２】
前記バックル本体（２）は、側枠（３）のベルト挿通枠部（１０）側の下辺にそれぞれ前記収納ボックス（２０）を係止する係止突部（５）を設け、側枠（３）のベルト連結軸（７）側をそれぞれ下方に折り曲げて断面への字形に形成し、該側枠のベルト連結軸側下端（３ａ）と、前記収納ボックス（２０）の底面（２０ａ）とを同一面（Ｘ）に形成すると共に、前記ベルト挿通枠部（１０）の内辺中央に前記係止フック（３２）の先端が挿通するフック受溝（１１）を設けてなることを特徴とする請求項１記載のベルト用バックル。
【請求項３】
前記収納ボックス（２０）は、上面を開口して一側に前記回転軸（３１）を回動可能に収容する収容凹部（２３）を設け、該収容凹部の中央直角方向に前記回転軸（３１）の係止フック（３２）を収納するフック溝部（２５）を形成し、該フック溝部の一側で前記収容凹部（２３）と平行に軸受段部（２６）を設け、該軸受段部にレバー片（４２）を収納ボックス（２０）の外側に位置させた作動杆（４０）の軸部（４１）を枢動可能に収容し、該作動杆のレバー片（４２）を枢動させて軸部（４１）に取付けた押圧板（４３）で前記回転軸（３１）の回動板（３３）を下方に押し下げて回転軸（３１）を反時計方向に回動してベルト穴（５１）に挿通させた係止フック（３２）を該ベルト穴から離脱可能に形成したことを特徴とする請求項１または２記載のベルト用バックル。
【請求項４】
前記回転軸（３１）は、鉤形に形成した係止フック（３２）を中央に設け、一側に前記作動杆（４０）の押圧板（４３）と当接する回動板（３３）を設けてなり、前記収納ボックス（２０）の収容凹部（２３）内に支持軸（３５）を介して回転可能に収容すると共に、中央軸心方向に挿通したばね軸（３６）に巻装したばね（３７）で、回転軸（３１）の係止フック（３２）が垂直位置で停止するように上方向に付勢させたことを特徴とする請求項１ないし３のいずれか１記載のベルト用バックル。
【考案の詳細な説明】
【技術分野】
【０００１】
本考案は、ベルトに取付けるバックル、特に係止フックを使用して形成したバックルの改良に関する。
【背景技術】
【０００２】
従来から洋服などの締着手段として使用されるベルトの一端に取付けられているバックルには多種多様なものがある。このバックルの基本的形状は、バックルに挿通したベルトをバックル本体と圧着片とで圧着して無段階に締着するものと、ベルト本体に一定間隔で複数設けたベルト穴に、バックル本体に枢動可能に取付けた係止フックを挿通して止めるものとがある。
【０００３】
人の腰周りに装着するベルトは、トイレに行くときや食事をするときに緩めたり締めたりすることが多く、ベルト圧着型のバックルの場合、圧着部を緩めるだけで簡単にベルトを操作（緩めたり、締めたりすること）して調整することができるので、公衆の面前でも目立たずにベルト調整を行なうことができるが、該バックルはベルトの経年変化に伴い締着力が弛みやすく、長期間使用していると何度も締め直す必要があり不便である。
【０００４】
一方、係止フック型のバックルを取付けたベルトの多くは、係止フックをベルト穴に挿入して装着するため、一度締めた位置が緩むことがなく安心であるが、ベルトの長さ調整を行なう場合は、ベルトの先端をバックルから引き抜き、さらにベルトを反対方向に引っ張って係止フックをベルト穴から引き抜いた後、ベルトを緩めて所定の穴まで移動させ、該穴に係止フックを差し込んで調整して行なっている。
【０００５】
そのため、公衆の面前や食事中お腹が張って苦しくなってもその場で目立たずにベルト調整を簡単に行なうことができない。しかし、前記係止フック型のバックルでも、公衆の面前や食事中でも目立たずにベルトの長さ調整を行なうことができるものも知られている（参考文献１）。
【０００６】
【特許文献１】特開２０００−３３３７０８公報  しかし、このバックルは、一見係止フック型ではあるが、係止フックをベルト穴から離脱させて調整するのではなく、バックルの一側に設けた係止レバーを操作することにより、ベルトに連結したスライド板を移動させて調整を行なうものである。
【考案の開示】
【考案が解決しようとする課題】
【０００７】
係止フック型のバックルを使用したベルトは、公衆の面前や食事中でも目立たずにベルトの長さ調整を簡単に行なうことができないという問題点を有している。
そこで、係止フック型のベルトでも、公衆の面前や食事中でも目立たずに係止フックを係脱させてベルトの長さ調整を簡単に行なうことができるようにすることを目的とする。
【課題を解決するための手段】
【０００８】
本考案は、平行に位置させた一対の側枠３の一端にベルト５０を取付ける連結軸７を設け、前記側枠３の他端に断面門型のベルト挿通枠部１０を有したバックル本体２を形成し、該バックル本体の挿通枠部１０の下面に、ベルト先端部５０ａの押圧力で回転傾倒してベルトのベルト穴５１に合致すると該ベルト穴に挿入する係止フック３２を有した回転軸３１と、前記ベルト穴５１に挿入した係止フック３２をベルト穴５１から離脱させるレバー片４２を一側に設けた作動杆４０とを枢動可能に収容した収納ボックス２０を取付けてなることを特徴する。また、前記バックル本体２は、側枠３のベルト挿通枠部１０側の下辺にそれぞれ前記収納ボックス２０に係止する係止突部５を設け、側枠３のベルト連結軸７側をそれぞれ下方に折り曲げて断面への字形に形成し、該側枠のベルト連結軸側下端３ａと、前記収納ボックス２０の底面２０ａとを同一面Ｘに形成すると共に、前記ベルト挿通枠部１０の内辺中央に前記係止フック３２の先端が挿通するフック受溝１１を設けて形成したことを特徴とする。さらには、前記収納ボックス２０は、上面を開口し、一側に前記回転軸３１を回動可能に収容する収容凹部２３を設け、該収容凹部の中央直角方向に前記回転軸３１の係止フック３２を収納するフック溝部２５を形成し、該フック溝部の一側で前記収容凹部２３と平行に軸受段部２６を設け、該軸受段部にレバー片４２を収納ボックス２０の外側に位置させた作動杆４０の軸部４１を枢動可能に収容し、該作動杆のレバー片４２を枢動させて軸部４１に取付けた押圧板４３で前記回転軸３１の回動板３３を下方に押し下げて回転軸３１を反時計方向に回動させてベルト穴５１に挿通した係止フック３２を該ベルト穴から離脱可能に形成したことを特徴とする。さらにはまた、前記回転軸３１は、鉤形に形成した係止フック３２を中央に設け、一側に前記作動杆４０の押圧板４３と当接する回動板３３を設けてなり、前記収納ボックス２０の収容凹部２３内に支持軸３５を介して回転可能に収容すると共に、中央軸心方向に挿通したばね軸３６に巻装したばね３７で、回転軸３１の係止フック３２が垂直位置で停止するように上方向に付勢させたことを特徴とする。
【０００９】
したがって、作動杆４０のレバー片４２を操作するだけで、ベルト５０をバックル１から引き抜くことなく簡単に係止フック３２をベルト穴５１から離脱させることができるので、公衆の面前や食事中でも目立たずにベルト５０の長さ調整を簡単に行なうことができる。
【考案を実施するための最良の形態】
【００１０】
以下本考案の実施の形態を図面により説明すると、図１は本考案に係るバックルの分解斜視図、図２は収納ボックスの平面図、図３は図２のＡ―Ａ断面図、図４はバックルの側面図、図５はバックルの中央横断面図、図６は回転軸の回動板に作動杆の押圧板を当接した状態の要部拡大断面図である。バックル１は、金属材または硬質合成樹脂材などにより形成したバックル本体２の先端下面に、該バックル本体に挿通したベルト５０のベルト穴５１に係脱させる係止フック３２を有した回転軸３１と、該回転軸を回動させる作動杆４０を収容した収納ボックス２０を取付けて該収納ボックスとバックル本体２との間にベルト挿入孔１３を形成してある。
【００１１】
前記バックル本体２は、図１に示すごとく、平行に位置させた一対の側枠３の一端内側にベルト５０の一端を連結するベルト連結軸７を一体に設け、他端上面に断面門形に形成したベルト挿通枠部１０を一体に形成してある。前記側枠３は、中央からベルト連結軸７寄りをそれぞれ下方に折り曲げて断面への字型に形成し、側枠３のベルト連結軸７側下辺３ａと、バックル本体２の先端下面に取付けた収納ボックス２０の底面２０ａとを同一面Ｘに形成してある。
【００１２】
前記連結軸７側下辺３ａと、収納ボックス２０の底面２０ａとを同一面Ｘに形成することにより、ベルト挿入孔１３から挿入したベルト５０の先端がスムースに反対側に抜けるようにすると共に、バックル本体２が、常に体の正面を向くようにしてある。また、側枠３の下辺でベルト挿通枠部１０側に前記収納ボックス２０を係止する係止突部５を設け、前記ベルト挿通枠部１０の内辺中央に前記係止フックの先端が挿通するフック受溝１１を形成してある。
【００１３】
収納ボックス２０は、図１、２に示すごとく、上面を開口し、両側に設けた取付部２１の中央に、前記バックル本体２のベルト挿通枠部１０の下面に止めねじ４５で螺着するためのねじ孔２２を設け、中央一側には前記回転軸３１を収容する収容凹部２３と、該収容凹部の中央直角方向にフック溝２５と、作動杆４０を収容する軸受段部２６をそれぞれ設けてある。
【００１４】
この軸受段部２６のフック溝部側に作動杆４０の軸部４１先端を軸支する軸受部２７を設け、他端には軸部４１が挿通する軸受溝２８を形成すると共に、軸受段部２６の側面を切り欠いた開口部２９を設け、作動杆４０の枢動により作動する押圧板４３の後端が侵入可能に形成してある。
【００１５】
前記回転軸３１は、図２、３に示すごとく、中央に略鉤形に形成した係止フック３２を設け、該回転軸の一側で軸心方向と平行に回動板３３を設けてなり、該回転軸の両端を前記収納ボックス２０の軸孔３０に支持した支持軸３５を介して前記収容凹部２３内に回転可能に軸支し、回転軸３１の中央軸心方向に挿通したばね軸３６に巻装したばね３７で係止フック３１が垂直位置で停止するように上方向に負勢させてある。
【００１６】
作動杆４０は、図１、２に示すごとく、前記収納ボックス２０の軸受段部２６に位置する軸部４１の先端を軸受部２７に軸支し、軸受凹部２８から突出させた軸部４１の他端にレバー片４２を取付け、軸部４１の中央上面に前記回転軸３１の回動板３３を下方に押圧する断面アール状に形成した押圧板４３を一体に取付けてある。
【００１７】
５０は皮革または合成皮革を帯状に形成したベルトで、該ベルトの所定位置に一定間隔で複数のベルト穴を設けてある。
【００１８】
以下考案に係る実施の形態の作用について説明すると、ベルト５０をバックル１に装着する場合、図７に示すごとく、バックル１のベルト挿入孔１３からベルト挿入枠部１０内にベルト５０を挿入すると、ベルト先端４３ａがベルト挿入枠部１０内の中央に位置した係止フック３２に当接する。さらにベルト先端４３ａを奥に進入させると、当該ベルトの押圧力に押されて係止フック３２がベルト５０の進行方向に傾倒回転して収納ボックス２０のフック溝部２５内に移動するため、ベルト５０は抵抗なくスムースにバックル１内を通過する。
【００１９】
ベルト５０が進入してベルト穴５１が係止フック３２の位置までくると、該係止フック３２の頭部を押えていた押圧力がなくなって回転軸３１に装着したばね３７の弾発力で係止フック３２がベルト穴５１に挿入する。
【００２０】
係止フック３２が挿入したベルト穴５１が所望のベルト穴でない場合、ベルト５０をさらに進入させると、一度ベルト穴に入った係止フック３２は、ベルトの進行方向への圧力で進行方向に回転傾倒してベルト穴５１から外れ、再度フック溝部２５内に移動する。
【００２１】
ベルト５０の所望ベルト穴５１を、係止フック３２の位置で停止させると、図８に示すごとく、ばね３７の弾発力によって係止フック３２が所望のベルト穴５１に挿入する。ベルト穴５１に挿入した係止フック３２は、前記したごとく、ベルト５０が締まる方向には回転傾倒するが、緩める方向には、回転軸３１が係止フック３２の垂直位置でストッパー（図示せず）が働いて停止すること、ばねの弾発力が時計方向に作用していることからベルト穴５１から外れるおそれはない。
【００２２】
ベルト５０をバックル１へ装着する過程において、係止フック３２がベルト５０の進入方向への押圧力で回転傾動するため、圧着型バックルと同様に、バックルの挿入孔１３からベルト５０を挿入させてそのまま周方向に進入させるだけで抵抗なくスムースにベルト５０を挿入装着することができる。
【００２３】
したがって、従来の係止フック型のバックルのように、ベルトをバックルの係止フック受枠に挿通した後、反対方向に方向に一度折り返して所望のベルト穴を位置させ、該ベルト穴に係止フックを差し込んでからベルトを元の位置に戻してベルトを周方向に巻きつける動作が不要となるため、簡単に装着でき、また、ベルト穴付近にも折目ができず表面がいつまでも綺麗でベルトを長持ちさせることができる。
【００２４】
ベルト５０をバックル１から外したり、緩めたりする場合は、図４、９に示すごとく、収納ボックス２０の一側に突出させた作動杆４０のレバー片４２を上方向（前方向）に枢動させると、該作動杆の押圧板４３が回転軸３１の回動板３３を下方向に押圧して回転軸３１を反時計方向に回転させることにより、係止フック３２がバルト穴５１から外れてフック溝部２５内に回転傾倒して収容されることにより、ベルト５０がフリー状態になって所望の位置までベルトをスライドさせた後、レバー片４２を離すとばね３７の弾発力で回転軸３１が元の位置に復帰する。
【００２５】
そのとき、係止フック３２がベルト穴５１に嵌合していない場合、ベルトを多少前後動させることにより、近傍に位置する所望のベルト穴に係止フックを嵌合させることができる。
【００２６】
ベルト５０をバックル１から完全に外す場合は、作動杆４０のレバー片４２をベルト５０の先端５０ａがバックル１から抜け出るまで枢動させるだけで簡単に引き抜き外すことができる。したがって、バックル１からベルト５０を緩めたり、外したりする場合、ベルト５０を引っ張って折り返す動作をすることなく、作動杆４０のレバー片４２を操作するだけで簡単に行なうことができるので、公衆の面前や食事中でも目立たずベルトを緩めたり、外したりすることができる。
【図面の簡単な説明】
【００２７】
【図１】本考案に係るバックルの分解斜視図である。
【図２】収納ボックスの平面図である。
【図３】図２のＡ―Ａ断面図である。
【図４】バックルの側面図である。
【図５】バックルの中央横断面図である。
【図６】回転軸の回動板に作動杆の押圧板を当接した状態の要部拡大断面図である。
【図７】ベルトの先端で係止フックを押し下げた状態を示す説明図である。
【図８】ベルト穴に係止フックが挿通した状態を示す説明図である。
【図９】作動杆を操作してベルト穴から係止フックを離脱させた状態を示す説明図である。
【符号の説明】
【００２８】
１    バックル
２    バックル本体
３    側枠
７    連結軸
１０  挿通枠部
１１  フック受溝
２０  収納ボックス
２３  収容凹部
２５  フック溝部
２６  軸受段部
３１  回転軸
３２  係止フック
３３  回動板
３５  支持軸
３６  ばね軸
３７  ばね
４０  作動杆
４１  軸部
４２  レバー片
４３  押圧板
５０  ベルト
５１  ベルト穴
【図１】
0003110740.tif 000003
【図２】
0003110740.tif 000004
【図３】
0003110740.tif 000005
【図４】
0003110740.tif 000006
【図５】
0003110740.tif 000007
【図６】
0003110740.tif 000008
【図７】
0003110740.tif 000009
【図８】
0003110740.tif 000010
【図９】
0003110740.tif 000011